(57)【要約】【課題】本発明は、ディスプレイ駆動システムを提供する。【解決手段】データ信号の間に同一な大きさを有するクロック信号をエンベッディングして、単一レベル形態の信号に送ることにおいて、クロックがエンベッディングされる周期を調節して、コントロールデータ伝送段階を２ワード(word)以上に拡張できるようにデータフォーマットを構成したクロック信号がエンベッディングされたことを特徴とする。【選択図】図６
2011221487.tif 000002
【特許請求の範囲】
【請求項１】
ディスプレイ駆動システムにおいて、
データ信号を受信する受信部と、データ信号を処理して出力するデータ処理部と、クロック信号及びタイミング制御信号を生成するクロック生成部と、前記データ信号とクロック信号及びタイミング制御信号を送る送信部が具備されたタイミング制御部と;及び
ディスプレイパネルにゲート信号を順次走査するロー駆動部と、信号線を通じて前記送信部で伝送されたデータ信号を受信して、ディスプレイパネルを駆動するコラム駆動部が具備されたパネル駆動部と、を含んで、
前記タイミング制御部は、
前記データ信号との間に前記クロック信号を同一な大きさでエンベッディングして、単一レベルの伝送データに変換して出力する駆動部を前記送信部内にさらに含んで、
前記伝送データは、クロック訓練データ伝送段階、コントロールデータ伝送段階及び画像データ伝送段階に区別されて、前記コラム駆動部に伝送されることを特徴とするクロック信号がエンベッディングされた単一レベルのデータ伝送を利用したディスプレイ駆動システム。
【請求項２】
前記クロック信号は、
前記データ信号の一つのＲＧＢピクセルのデータ信号ごとにエンベッディングされることを特徴とする請求項１に記載のクロック信号がエンベッディングされた単一レベルのデータ伝送を利用したディスプレイ駆動システム。
【請求項３】
前記クロック信号は、
前記データ信号の一つのＲＧＢピクセルの半分に該当するデータ信号ごとにエンベッディングされることを特徴とする請求項１に記載のクロック信号がエンベッディングされた単一レベルのデータ伝送を利用したディスプレイ駆動システム。
【請求項４】
前記クロック信号は、
前記ＲＧＢピクセルを構成するそれぞれのサブピクセルごとにエンベッディングされることを特徴とする請求項１に記載のクロック信号がエンベッディングされた単一レベルのデータ伝送を利用したディスプレイ駆動システム。
【請求項５】
前記タイミング制御部は、
前記クロック訓練データ、コントロールデータ及び画像データ信号との間に前記エンベッディングされるクロック信号の遷移時点(ライジングエッジまたはポーリングエッジ)を示すためにクロック信号とダミー信号を追加して直列化することを特徴とする請求項２に記載のクロック信号がエンベッディングされた単一レベルのデータ伝送を利用したディスプレイ駆動システム。
【請求項６】
前記ダミー信号と前記クロック信号は、信号の幅を可変することができることを特徴とする請求項５に記載のクロック信号がエンベッディングされた単一レベルのデータ伝送を利用したディスプレイ駆動システム。
【請求項７】
前記タイミング制御部は、
データを受信する受信部と;
前記受信されたデータを一時保存して、プロトコルによってクロック訓練データ、コントロールデータ及び画像データを出力するデータ処理部と;
クロック信号及びタイミング制御信号を生成するクロック生成部と;及び
前記データ処理部から出力されたクロック訓練データ、コントロールデータ及び画像データを入力されて、前記クロック生成部で出力される前記クロック信号に回答して直列化して送信する送信部を具備して、
前記送信部は、
前記データ処理部から出力されたクロック訓練データ、コントロールデータ及び画像データを入力されて前記コラム駆動部に送るデータを分配するデータ分配部と;
前記クロック信号に回答して前記分配されたデータを直列データに変換する並列-直列変換部;及び
並列-直列変換部から出力されたデータを前記コラム駆動部に送る駆動部を具備することを特徴とする請求項５に記載のクロック信号がエンベッディングされた単一レベルのデータ伝送を利用したディスプレイ駆動システム。
【請求項８】
前記コントロールデータ伝送段階は、
前記クロック訓練データ伝送段階と前記画像データ伝送段階を区別するために前記コントロールデータに別途のＴＲビットを挿入したことを特徴とする請求項７に記載のクロック信号がエンベッディングされた単一レベルのデータ伝送を利用したディスプレイ駆動システム。
【請求項９】
前記ＴＲビットは、
一つまたはその以上のデータビットで組み合わせて構成することができることを特徴とする請求項８に記載のクロック信号がエンベッディングされた単一レベルのデータ伝送を利用したディスプレイ駆動システム。
【請求項１０】
前記コントロールデータ伝送段階は、
前記クロック信号がデータにエンベッディングされる周期以上の長さを有したコントロールデータを送るために前記ＴＲビット値によって１ワードまたは２ワード以上にその長さを拡張することができることを特徴とする請求項７に記載のクロック信号がエンベッディングされた単一レベルのデータ伝送を利用したディスプレイ駆動システム。
【請求項１１】
前記コラム駆動部は、
前記タイミング制御部から入力されたクロック訓練データに同期された受信クロック信号が安定化されればＬＯＣＫ信号(ＬＯＣＫ１〜ＬＯＣＫＮ-１)を“Ｈ”状態で次のコラム駆動部に順次出力して、最後のコラム駆動部はＬＯＣＫＮ信号の“Ｈ”状態を前記タイミング制御部に出力して、
前記タイミング制御部は、
所定の時間以後クロック訓練データ伝送段階を終了して、クロック信号がエンベッディングされたデータ信号の伝送を始めるように構成されたことを特徴とする請求項１に記載のクロック信号がエンベッディングされた単一レベルのデータ伝送を利用したディスプレイ駆動システム。
【請求項１２】
前記タイミング制御部は、
クロック訓練データ伝送段階で前記コラム駆動部から伝達された前記ＬＯＣＫＮ信号が“Ｈ”状態に変われば、所定の時間以後クロック訓練データ伝送を終了して、コントロールデータ伝送段階と画像データ伝送段階を順次に始めることを特徴として、またコラム駆動部から前記データ伝送のうちに前記ＬＯＣＫＮ信号が“Ｌ”状態に変われば、前記ＬＯＣＫＮ信号が“Ｈ”状態になった後に所定の時間まで再びクロック訓練データを再び送信するように構成されることを特徴とする請求項１１に記載のクロック信号がエンベッディングされた単一レベルのデータ伝送を利用したディスプレイ駆動システム。
【請求項１３】
前記コラム駆動部は、
前記タイミング制御部から伝送されたクロックがエンベッディングされたデータを受信するデータ受信部と;
前記データ受信部で受信されたデータに含まれる制御情報によって画像データを順次に保存するデータラッチと;及び
前記データラッチに保存された画像データの値によってパネルを駆動するデジタル-アナログ変換器を具備することを特徴とする請求項１に記載のクロック信号がエンベッディングされた単一レベルのデータ伝送を利用したディスプレイ駆動システム。
【請求項１４】
前記データ受信部は、
前記データ信号の間にエンベッディングされたクロック信号からデータサンプリングのための受信クロック信号らを復元するクロック復元部と;及び
前記受信されたクロック信号の遷移時点(ライジングエッジまたはポーリングエッジ)で前記伝送データにあるコントロールデータと画像データをサンプリングして出力する直列並列変換部２３１を具備することを特徴とする請求項１３に記載のクロック信号がエンベッディングされた単一レベルのデータ伝送を利用したディスプレイ駆動システム。
【請求項１５】
前記クロック復元部は、
前記送信部から伝送されるクロック訓練データを利用して、前記受信クロック信号の復元を容易にして、復元された受信クロック信号を安定化させることを特徴とする請求項１４に記載のクロック信号がエンベッディングされた単一レベルのデータ伝送を利用したディスプレイ駆動システム。
【請求項１６】
前記受信クロック信号は、
クロック訓練データ及びデータの間にエンベッディングされるクロック信号と同一な周波数を有する多位相クロック信号で構成されることを特徴とする請求項１５に記載のクロック信号がエンベッディングされた単一レベルのデータ伝送を利用したディスプレイ駆動システム。
【請求項１７】
前記データ受信部は、
前記クロック訓練データ伝送段階の間に安定化された受信クロック信号を使って、前記クロック訓練データ伝送段階が終わった後に伝送される一番目コントロールデータのエンベッディングされたクロック信号以後に伝送されるＴＲビットによって前記コントロールデータ伝送段階で認識して、その後に伝送されるデータワードからは画像データ伝送段階で認識して受信される信号をそれぞれ区分しながらコントロールデータ及び画像データを受信することを特徴とする請求項１４に記載のクロック信号がエンベッディングされた単一レベルのデータ伝送を利用したディスプレイ駆動システム。
【請求項１８】
前記データ受信部は、
前記コントロールデータ伝送段階に一つ以上のコントロールデータワードが伝送される場合各コントロールデータワードに挿入されるＴＲビット値によって一番目コントロールデータであるか、それとも最後のコントロールデータであるかを区別して、その後データからは画像データで認識して受信される信号をそれぞれ区分しながらコントロールデータ及び画像データをサンプリングすることを特徴とする請求項１４に記載のクロック信号がエンベッディングされた単一レベルのデータ伝送を利用したディスプレイ駆動システム。
【請求項１９】
前記コラム駆動部は、
あらかじめ決まっている、前記画像データのワード個数によって入力される画像データのワード個数を計算して画像データ伝送段階が終わる時点を把握することによって画像データ伝送段階が終わって次のクロック訓練データの伝送段階が始まったかに対する可否を確認することを特徴とする請求項１４に記載のクロック信号がエンベッディングされた単一レベルのデータ伝送を利用したディスプレイ駆動システム。
【発明の詳細な説明】
【技術分野】
【０００１】
本発明は、ディスプレイ駆動システムに関するものであり、より詳細には、データ信号の間に同一な大きさを有するクロック信号をエンベッディングして単一レベル形態の信号で送ることにおいてクロックがエンベッディングされる周期を調節してコントロールデータ伝送段階を２ワード(word)以上に拡張できるようにデータフォーマットを構成したクロック信号がエンベッディングされた単一レベルのデータ伝送を利用したディスプレイ駆動システムに関するものである。
【背景技術】
【０００２】
近来にデジタル家電器機市場の成長と個人用コンピューター及び個人携帯通信端末機の持続的な普及増加によって、このような器機らの最終出力装置中の一つであるディスプレイ装置らの軽量化と低電力化が要求されて、このような要求らを具現するための技術が持続的に提案されている。それによって従来のＣＲＴ(Cathode Ray Tube)を取り替えるＬＣＤ(Liquid Crystal Display)、ＰＤＰ(Plasma Display Panel)、ＯＬＥＤ(Organic Electro- Luminescence Display)などのような平板ディスプレイ装置らが開発されて普及されている。
【０００３】
このような平板ディスプレイ装置らは、受信された画像データをディスプレイするのに使われるパネルを駆動するために画像データを処理して、タイミング制御信号を生成するタイミングコントローラー(Timing Controller)と、このようなタイミングコントローラーから伝送される画像データとタイミング制御信号を使ってパネルを駆動するコラム駆動部とロー駆動部を含む。
【０００４】
特に、近来には電磁気波干渉(ＥＭＩ)を少なく誘発しながらも高速でデータを送ることができるmini-ＬＶＤＳ(Low Voltage Differential Signaling)方式とＲＳＤＳ(Reduced Swing Differential Signaling)方式などの差動信号伝送方式の利用が増加している。
【０００５】
図１は、従来のmini-ＬＶＤＳ方式でデータ差動信号とクロック差動信号の伝送を示す図面であり、図２は従来のＲＳＤＳ方式でデータ差動信号とクロック差動信号の伝送を示す図面である。
【０００６】
図１及び図２を参照すれば、このように近来に利用されるmini-ＬＶＤＳ方式やＲＳＤＳ方式らは、所望の帯域幅を支援するためにタイミングコントローラー１０に連結された一つ以上のデータ差動信号線とそのデータ信号に同期された別途のクロック差動信号線を具備して、このようなデータ信号線とクロック信号線を各コラム駆動部２０らが共有するマルチドロップ(Multi-Drop)方式を採択している。
【０００７】
このようなマルチドロップ方式は、解像度による出力数、すなわち、コラム駆動部の個数に構わなくタイミングコントローラーを利用することができる長所があるが、各コラム駆動部らでデータ差動信号とクロック差動信号が分離供給される支点で発生されるインピーダンス不整合(Impedance Mismatch)によって反射波による信号歪曲が発生して、電磁気波干渉(ＥＭＩ)が大きくなる問題点を有しているし、クロック差動信号にかかる大きい負荷によって動作速度が制限される問題点があった。
【０００８】
このようなマルチドロップ方式での問題点を乗り越えるために、データ差動信号とクロック差動信号らが各コラム駆動部に別に供給されるＰＰＤＳ(Point-to-Point Differential Signaling)伝送方式が提案された。
【０００９】
図３は従来のＰＰＤＳ方式で独立的なデータ信号線を通じたデータ差動信号の伝送を示す図面であり、図４は従来のＰＰＤＳ方式で変形されたチェーン形態のクロック差動信号の伝送を示す図面である。
【００１０】
図３を参照すれば、ＰＰＤＳはタイミングコントローラー１０と一つのコラム駆動部２０との間に独立的なデータラインが形成されてデータ差動信号が各コラム駆動部ごとに別に供給されるので、前記マルチドロップ方式で発生可能なインピーダンス不整合と、電磁気波干渉(ＥＭＩ)、及びクロック差動信号の過負荷問題を乗り越えることができるようになる。
【００１１】
このようなＰＰＤＳは、高速のクロック信号が要求されるが、図３に示されたＰＰＤＳの場合クロック差動信号を共有する形態で構成されてクロック差動信号の負荷が非常に大きい場合動作速度が制限された。それによって、図４に示されたところのように、チェーン形態で各コラム駆動部２０にクロック信号を供給する方式が利用されるが、この場合各コラム駆動部との間で発生されるクロックのディレーによってデータサンプリングがまともになされない問題点があった。
【００１２】
また、このようなＰＰＤＳ伝送方式は、ディスプレイ装置が大型化されて、高解像度を追い求めることによってコラム駆動部の個数が増加するようになりながら、データ及びクロック信号線の個数が等しい割合で増加するようになって、全体信号線の連結が複雑になって費用上昇の原因になる問題点があった。
【００１３】
図５は、改善されたイントラパネルインターフェース(ＡｉＰｉ:Advanced Intra-Panel Interface)伝送方式を示す図面である。
【００１４】
図５を参照すれば、データとクロック信号がマルチレベルに区別されて、タイミングコントローラーでこのように区別されたクロック信号がエンベッディングされたデータ差動信号を独立された各信号線によってコラム駆動部に送ることで、信号線の個数を著しく減らして、電磁気波干渉(ＥＭＩ)を減らして、信号線の個数が減少することに反してパネルの動作速度と解像度は増加することによって、高速信号伝達過程でデータとクロック信号との間に発生するスキュー(skew)や相対ジッタ(jitter)などの問題点を解決するための改善されたイントラパネルインターフェースが近来に提案された。
【００１５】
しかし、近来のＡｉＰｉ伝送方式は、データにクロック信号をエンベッディングして送って信号線の個数を減らして伝送線路でのデータとクロック信号との間のスキュー問題を解決することができるが、エンベッディングされたクロック信号をデータ信号より大きいレベルや小さなレベルでなされたマルチレベルの信号を送るので、伝送信号のレベルを最小化させることができなくなるし、電磁気波干渉(ＥＭＩ)の減少効率が微細になる問題点があった。
【００１６】
このように最近のタイミングコントローラーとコラム駆動部との間の高速データ伝送のためのインターフェース傾向は、データ差動信号とクロック差動信号を送る信号線の個数を減らして電磁波干渉(ＥＭＩ)を最小化することであり、これと共に信号線の間のスキュー、相対ジッタなどの問題を解決することができる新しいインターフェースが要求されている。
【００１７】
このような要求によって本出願人は、２００８年１０月２０日付けに出願した韓国特許出願第２００８-０１０２４９２号（特許文献１）でタイミングコントローラーでデータ信号の間に同一な大きさを有するクロック信号をエンベッディングして、独立されたデータ信号線を通じて単一レベル信号の形態で各コラム駆動部に供給して、各コラム駆動部でクロック信号を復元してデータをサンプリングした後パネルに画像データを出力することで、データ伝送速度を最大化しながら伝送信号レベル及びエンベッディングされるクロック信号の周波数を最小化することができるクロック信号がエンベッディングされた単一レベル信号伝送を利用したディスプレイ駆動システムを開示したことがある。
【００１８】
しかし、クロック信号をエンベッディングする周期がＲＧＢデータと連関されているが、ＲＧＢデータのビット大きさ(bit-depth)が増加するか、またはデータ伝送率が増加するほど内部干渉による影響が深くなって、入力信号のジッタが大きくなるので、受信部のクロック復元回路で復元したクロック信号とデータにエンベッディングされたクロック信号の位相を比べにくい問題があった。
【００１９】
一方、クロック訓練区間とデータ区間との間のコントロールデータ伝送区間(configuration区間)では最大ＲＧＢデータ大きさ程度のコントロールデータを送ることができるが、クロック信号がエンベッディングされる周期がデータの大きさより小さくなるか、またはデータの大きさよりさらに多いコントロールデータを送らなければならない場合にはコンフィギュレーション(configuration)を構成することができない限界があった。
【先行技術文献】
【特許文献】
【００２０】
【特許文献１】韓国特許出願第２００８-０１０２４９２号
【発明の概要】
【発明が解決しようとする課題】
【００２１】
本発明が解決しようとする技術的課題は、データ信号の間に同一な大きさを有するクロック信号をエンベッディングして単一レベル形態の信号で送ることにおいて、クロックがエンベッディングされる周期を調節してＴＲ-ビットによって区別されるコントロールデータ伝送段階を２ワード(word)以上に拡張できるようにデータフォーマットを構成したクロック信号がエンベッディングされた単一レベルのデータ伝送を利用したディスプレイ駆動システムを提供することにある。
【００２２】
それによって受信部で復元したクロック信号とデータにエンベッディングされたクロック信号の位相を容易に比べることができるし、ＲＧＢデータの大きさよりさらに多いコントロールデータを送ることができるし、コントロールデータが伝送される時点を調節することができるクロック信号がエンベッディングされた単一レベルのデータ伝送を利用したディスプレイ駆動システムを提供することにある。
【課題を解決するための手段】
【００２３】
前記課題を達成するためのクロック信号がエンベッディングされた単一レベルのデータ伝送を利用したディスプレイ駆動システムは、データ信号を受信する受信部と、データ信号を処理して出力するデータ処理部と、クロック信号及びタイミング制御信号を生成するクロック生成部と、前記データ信号とクロック信号及びタイミング制御信号を送る送信部が具備されたタイミング制御部と;及びディスプレイパネルにゲート信号を順次走査するロー駆動部と、信号線を通じて前記送信部で伝送された信号を受信してディスプレイパネルに供給して前記送信部で伝送された信号の受信可能可否を確認することができる信号を前記タイミング制御部に伝達するコラム駆動部が具備されたパネル駆動部を含んで、前記タイミング制御部は、前記データ信号の間に前記クロック信号を同一な大きさでエンベッディングして、単一レベルの伝送データに変換して出力する駆動部を前記送信部内にさらに含んで、前記伝送データはクロック訓練伝送段階、コントロールデータ伝送段階及び画像データ伝送段階に区別されて前記コラム駆動部に伝送されることを特徴とする。
【発明の効果】
【００２４】
本発明によるクロック信号がエンベッディングされた単一レベルのデータ伝送を利用したディスプレイ駆動システムは、クロックがエンベッディングされる周期をＲＧＢデータのビット大きさに無関に調節することで、受信部で復元したクロック信号とデータにエンベッディングされたクロック信号の位相を容易に比べることができるし、ＴＲ-ビットで区別されるコントロールデータ伝送区間であるコンフィギュレーションを２ワード以上に拡張することが可能で、ＲＧＢデータの大きさよりさらに多いコントロールデータを送ることができるし、特定コントロールデータの伝送時点を調節することができる長所がある。
【００２５】
また、本発明は、コラム駆動部の受信可能可否を確認することができる信号を出力することで、コラム駆動部の受信部がノイズなどによって非正常的な状態になって正常なデータを受信することができない時にはコラム駆動部の状態をタイミング制御部に送信して、クロック訓練信号を送信することを要求することで、受信部で正常にデータを受信することができる効果がある。
【図面の簡単な説明】
【００２６】
【図１】従来ＬＶＤＳ方式でデータ差動信号とクロック差動信号の伝送を示す構成図である。
【図２】従来ＲＳＤＳ方式でデータ差動信号とクロック差動信号の伝送を示す構成図である。
【図３】従来ＰＰＤＳ方式で独立的なデータ信号線を通じたデータ差動信号の伝送を示す構成図である。
【図４】従来ＰＰＤＳ方式で変形されたチェーン形態のクロック差動信号の伝送を示す構成図である。
【図５】従来のＡｉＰｉ伝送方式を示す構成図である。
【図６】本発明によるクロック信号がエンベッディングされた単一レベルのデータ伝送を利用したディスプレイ駆動システムの構成図である。
【図７】本発明によってクロック信号とデータ信号が単一レベル信号でなされた伝送データを単一信号線に送ることを示す概略図である。
【図８】本発明によってクロック信号がデータ信号の間に同一なレベルでエンベッディングされたＣＥＤ信号のプロトコル方式を示す例示図である。
【図９】本発明によってクロック信号がデータ信号の間に同一なレベルでエンベッディングされたＣＥＤ信号のプロトコルと既存のデジタルＲＧＢインターフェースの関係を示す例示図である。
【図１０】本発明によってクロック訓練データ伝送段階での伝送されるＣＥＤ信号の例示図である。
【図１１】本発明によってデータ伝送段階でのクロック信号がデータ信号の間に同一なレベルでエンベッディングされたＣＥＤ信号の例示図である。
【図１２】本発明によってデータ伝送段階でのクロック信号がデータ信号の間に同一なレベルでエンベッディングされたＣＥＤ信号のまた他の例示図である。
【図１３】本発明によるクロック信号がエンベッディングされたデータ伝送方式を使用するディスプレイ駆動システムのプロトコルによって伝送されるＣＥＤ信号の実施例を示す図面である。
【図１４】本発明によるクロック信号がエンベッディングされたデータ伝送方式を使用するディスプレイ駆動システムのプロトコルでコントロールデータ伝送段階が２ワード以上のコントロールデータの伝送に拡張されたことを示す図面である。
【図１５】本発明によるクロック信号がエンベッディングされたデータ伝送方式を使用するディスプレイ駆動システムでのタイミング制御部を示す図面である。
【図１６】本発明によるクロック信号がエンベッディングされたデータ伝送方式を使用するディスプレイ駆動システムでのコラム駆動部を示す図面である。
【発明を実施するための形態】
【００２７】
以下では本発明の具体的な実施例を、図面を参照して詳しく説明するようにする。
【００２８】
図６は、本発明によるクロック信号がエンベッディングされた単一レベルのデータ伝送を利用したディスプレイ駆動システムの構成図であり、図７は、本発明によってクロック信号とデータ信号が単一レベル信号でなされた伝送データを単一信号線に送ることを示す概略図である。
【００２９】
図６及び図７を参照すれば、本発明の一実施例によるクロック信号がエンベッディングされた単一レベルのデータ伝送を利用したディスプレイ駆動システムは、ＬＶＤＳデータ信号を受信してクロック信号を前記データ信号の間に同一な大きさでエンベッディングして単一レベルの伝送データに送るタイミング制御部１００と、前記伝送データを受信してクロック訓練データ伝送段階の間に復元した受信クロック信号を利用してクロック信号とデータ信号を区別して、サンプリングしてディスプレイパネル３００に送るパネル駆動部２００と、を含んで構成される。
【００３０】
この時、前記パネル駆動部２００は、ディスプレイパネル３００にゲート信号(Ｇ１ないしＧＭ)を順次走査するロー駆動部２１０と、ディスプレイしようとするソース信号(Ｓ１ないしＳＮ)を供給するコラム駆動部２２０で構成される。
【００３１】
それによって、前記タイミング制御部１００は、一つの信号線を利用して前記データ信号の間にクロック信号が同一なレベルでエンベッディングされた一つの差動対(Differential pair)であるＣＥＤ(Clock Embedded Data)信号のみをパネル駆動部２００のコラム駆動部２２０に送るようになる。
【００３２】
前記コラム駆動部２２０は、入力されたＣＥＤ信号から内部的にクロックを復元するようになるが、初期状態に復元されたクロック信号が不安定な時は、ＬＯＣＫ信号を“Ｌ”状態で出力しながら復元されたクロック信号が安定的に動作する場合、ＬＯＣＫ信号を“Ｈ”状態に出力するようになる。また、前記コラム駆動部２２０は、隣近コラム駆動部２２０からＬＯＣＫ信号を入力されて、別途の論理素子を利用して自分の内部ＬＯＣＫ信号と組み合わせて外部にＬＯＣＫ信号を出力するようになる。よって、前記各コラム駆動部２２０から出力されたＬＯＣＫ信号ら(ＬＯＣＫ１〜ＬＯＣＫ７)は、隣近コラム駆動部２２０に順次に伝達されて、最終的に前記タイミング制御部１００にＬＯＣＫ信号(ＬＯＣＫ８)が伝達されることで、前記タイミング制御部１００は自分と連結されたすべてのコラム駆動部２２０から出力されたＬＯＣＫ信号情報が分かるようになる。
【００３３】
一方、前記各コラム駆動部２２０のＬＯＣＫ信号(ＬＯＣＫ１〜ＬＯＣＫＮ-１)らが、図６ないし図７のように順次に連結される代わりに個別的に前記タイミング制御部１００に伝達されることもできる。
【００３４】
図８ないし図９を参考すれば、本発明によるクロック信号がエンベッディングされたデータ伝送方式のプロトコルは、クロック訓練データ伝送段階(Ｓ１００)、コントロールデータ伝送段階(Ｓ２００)、画像データ伝送段階(Ｓ３００)で構成される。
【００３５】
クロック訓練データ伝送段階(Ｓ１００)で、前記タイミング制御部１００はクロック形態で構成されたデータを送って前記コラム駆動部２２０は、内部的に復元するクロック信号と同期化を遂行する。前記タイミング制御部１００は、クロック訓練データを送る中に、前記ＬＯＣＫ８信号を通じて前記コラム駆動部２２０らが復元されたクロック信号が安定化されたかの可否をずっとモニタリングして、前記ＬＯＣＫ８信号が“Ｈ”状態に行くようになれば、所定の時間が経過した後クロック訓練データ伝送段階を終了して、コントロールデータ伝送段階(Ｓ２００)に状態遷移をするようになる。
【００３６】
コントロールデータ伝送段階(Ｓ２００)で前記タイミング制御部１００は、クロック訓練データと画像データを区別することができるコントロールデータを送るようになる。
【００３７】
以後、コントロールデータ伝送段階が終わったかの可否を判断して、コントロールデータ伝送段階以後に伝送されるデータは、無条件画像データで認識して画像データ伝送段階(Ｓ３００)を遂行する。以後、画像データの伝送が完了すれば、再びクロック訓練データ伝送段階(Ｓ１００)を遂行してデータ伝送を続く。
【００３８】
図９は、既存のDigital ＲＧＢ Interfaceと本発明によるプロトコルとの関係を示す概略図である。ＤＥ(Data Enable)信号が“Ｈ(Logic-High)”である区間は、有効画像データが伝送される区間で画像データ伝送段階が遂行されて、ＤＥ信号が“L(Logic-Low)”である区間は有効画像データが伝送されない区間でクロック訓練データ伝送段階とコントロールデータ伝送段階が遂行される。
【００３９】
有効画像データが伝送されない区間であるＤＥ信号が“Ｌ”である区間は、垂直ブランク(Vertical Blank)区間と水平ブランク(Horizontal Blank)区間で分けられる。
【００４０】
垂直ブランク(Vertical Blank)区間は、画像データ伝送時に画面(frame)が転換される部分で有効画像データが伝送されない区間を意味して、水平ブランク(Horizontal Blank)区間は、画像データ伝送時に一つの画面内で一つの走査線(line)とその次走査線の間に有効画像データが伝送されない区間を意味する。それぞれの区間では垂直同期信号(ＶＳＹＮＣ)または水平同期信号(ＨＳＹＮＣ)が“Ｌ(Logic-Low)”になる。また、一つの垂直同期信号(ＶＳＹＮＣ)内には一つ以上の水平同期信号(ＨＳＹＮＣ)が入ることができる。
【００４１】
図１０及び図１１は、本発明によってタイミング制御部１００とコラム駆動部２２０との間のインターフェースに使われることができるデータ信号に対する例示図である。クロック訓練データ、コントロールデータ、画像データは、図１０に示されたところのようにデータ（ｄａｔａ）信号らの間にクロック（ＣＬＫ）信号が挿入されて、挿入されたクロック（ＣＬＫ）信号の遷移時点を示すためにデータ（ｄａｔａ）信号とクロック（ＣＬＫ）信号との間にダミー(Dummy)信号を挿入して構成される。クロック信号の遷移時点は、ライジングまたはポーリングエッジで構成されることができる。また、図１１に示されたところのようにダミー(Dummy)信号とクロック（ＣＬＫ）信号は、回路設計を容易にするために２-ｂｉｔ以上で信号の幅をさらに広く可変することもできる。図１２は、クロック訓練データ伝送段階で伝送されるデータ信号に対する一例の例示図として、クロック訓練データはクロック信号が振幅変調(Pulse Width Modulation、ＰＷＭ)形態のデータの間にエンベッディングされて構成される。
【００４２】
前記クロック信号がエンベッディングされたデータ伝送方式のプロトコルによる本発明のディスプレイシステムの動作は次のようである。
【００４３】
タイミング制御部１００は、画像データを送る前に先ずクロック訓練データを送ることで、クロック訓練データ伝送段階を始める。クロック訓練データ伝送段階の間に伝送される信号は、コラム駆動部内の受信部でのクロック復元を円滑にさせるためのデータ信号である。
【００４４】
コントロールデータ伝送段階ではタイミング制御部は、コラム駆動部を制御するためのコントロールデータを送る。また、前記クロック訓練データ伝送段階と前記コントロールデータ伝送段階を区別するためにクロック信号がエンベッディングされるコントロールデータに別途のＴＲビットが挿入される。
【００４５】
前記クロック信号がデータにエンベッディングされる周期以上の長さを有したコントロールデータを送るために前記ＴＲビットを複数個挿入することで、コントロールデータ伝送区間の長さを１ワードまたは２ワード以上に拡張することができる。
【００４６】
例えば、図１３のようにクロック訓練データ伝送段階以後に伝送されるコントロールデータが一つのワードだけで構成されている時、コントロールデータでクロック信号(ＣＫ)以後に伝送される一番目データビット(ＴＲビット)の値が“Ｌ(low)”ならコントロールデータで認識して、コントロールデータ以後の二番目データからは画像データが入力されるものとして認識するようになる。
【００４７】
一方、図１４のように、コントロールデータが複数個のワードで構成されている場合、クロック訓練データ伝送段階以後に伝送されるコントロールデータをなす各ワードの一番目データビット(ＴＲビット)を観察して、該当ビットの値が“Ｌ”なら、コントロールデータの一番目ワードで認識して、この後入力されるコントロールデータの一番目データビットを観察して、該当ビットの値が引き続いて“Ｌ”の値なら、コントロールデータの連続されたワードで認識して、仮に該当ビットの値が“Ｈ”の値なら、コントロールデータの最後のワードで認識して、以後伝送されるワードは、画像データが伝送されることで認識するようになる。
【００４８】
もし、クロック訓練データ伝送段階以後に伝送されるコントロールデータのワード個数が決まっていたらコントロールデータを構成する各ワードの一番目データビットを観察してあらかじめ決まった個数程度にコントロールデータワードを認識して、以後伝送されるワードは画像データが伝送されることで具現することもできる。
【００４９】
すなわち、クロック訓練信号とコントロールデータを区別するためにコントロールデータの一番目ワードに挿入される一番目データビット(ＴＲビット)の値をあらかじめ決まった値で指定して、クロック訓練データ伝送段階が終わったかの可否を判断することができるし、また、コントロールデータと画像データを区別するためにコントロールデータを構成する複数個のワードのうちで最後のワードの一番目データビットの値をあらかじめ決まった値で指定して、コントロールデータ伝送段階が終わったかの可否を判断して、以後画像データ伝送段階が始まることを認識することができる。このような各段階を区別するデータビット(ＴＲビット)は、１個以上のデータビットであらかじめ決まったデータパターンで構成することができる。
【００５０】
画像データ伝送段階では、ＲＧＢ形態で表示された画像データを送る。画像データにはクロック信号がデータにエンベッディングされる周期によって一つのＲＧＢピクセルデータごとにクロック信号がエンベッディングされることもあるし、ＲＧＢピクセルを構成する各サブピクセル(Sub-Pixel)ごとにクロック信号がエンベッディングされることもあるし、ＲＧＢピクセル構成と無関にクロック信号がエンベッディングされることもある。
【００５１】
画像データの伝送が終わって、再びクロック訓練が始まった時に受信部ではその信号が画像データであるか、またはクロック訓練データであるかを区別するためにカウンター回路を利用して画像データの個数を把握する。すなわち、前記データ受信部は、各データをサンプリングすることに利用された前記受信クロック信号の個数または画像データにエンベッディングされたクロックの個数を把握して、データの個数を確認することで、画像データ伝送区間が終わって新しいクロック訓練データ伝送段階が始まったかの可否を確認することで、これを区別するための別途の伝送段階または別途の信号を必要としない。
【００５２】
図１５は、前記タイミング制御部の構成図を示したものである。前記タイミング制御部１００は、ディスプレイしようとする画像データを受信する受信部１１０と、前記受信された画像データを一時保存してプロトコルによってクロック訓練データ、コントロールデータ、画像データなどのクロックがエンベッディングされたデータを出力するデータ処理部１２０と、クロック訓練データ、コントロールデータ、画像データなどのプロトコルによる伝送段階別データを直列化するために必要な直列化されたクロック信号(Ｐ２Ｓ_ＣＬＫ)を生成するクロック生成部１３０、及び前記データ処理部で出力されるクロックがエンベッディングされたデータを入力されて、前記クロック生成部１３０から出力される前記直列化されたクロック信号に合わせて直列化して送信する送信部１４０、を含んで構成される。
【００５３】
前記送信部１４０は、前記データ処理部１２０から出力されたクロックがエンベッディングされたデータ信号、すなわちクロック訓練データ、コントロールデータ及び画像データを受信して、各コラム駆動部に送るデータを分配するデータ分配部１４１と、該データ分配部１４１で分配されたデータを前記クロック生成部１３０で生成された前記直列化されたクロック信号を利用して直列データに変換する並列-直列変換部１４２及びクロックがエンベッディングされた伝送データ(ＣＥＤ)を各コラム駆動部２２０に送る駆動部１４３と、を含んで構成される。
【００５４】
この時、前記タイミング制御部１００は、前記並列-直列変換部１４２で直列化されたデータ信号を含む伝送データを一つ以上のコラム駆動部を含むパネル駆動部に伝達するようになる。
【００５５】
図１６は、前記コラム駆動部２２０の構成図を示したものである。
【００５６】
図１６に示されたところのように前記コラム駆動部２２０は、前記タイミング制御部１００から伝送されたデータを受信するデータ受信部２３０、該データ受信部２３０で受信されたコントロールデータに含まれる制御情報にしたがって画像データを順次に保存するデータラッチ２４０と該データラッチ２４０に保存された画像データの値によってパネルを駆動するデジタルアナログ変換器(Digital-to-Analog Converter)２５０で構成される。
【００５７】
この時、前記データ受信部２３０は、前記タイミング制御部１００から伝送されたクロックがエンベッディングされたデータからエンベッディングされたクロック信号を復元するクロック復元部２３２と、該クロック復元部２３２から復元された受信クロック信号(Ｓ２Ｐ_ＣＬＫ)らを利用してコントロールデータ及び画像データをサンプリングする直列-並列変換部２３１と、を含んで構成される。
【００５８】
前記クロック復元部２３２では、遅延同期ルーフ(ＤＬＬ:Delay Locked Loop)または、位相同期ルーフ(ＰＬＬ:Phase Locked Loop)を利用して、エンベッディングされたクロック信号を復元して、受信クロック信号(Ｓ２Ｐ_ＣＬＫ)を生成するようになって、タイミング制御部１００またはパネル駆動部２００内の他のコラム駆動部２２０から入力されたＬＯＣＫＩ信号が“Ｈ”状態になった後クロック訓練データ伝送段階の間に伝送されるＣＥＤ信号によってデータサンプリングに使用する受信クロック信号を復元するようになって、受信クロック信号が安定化されればＬＯＣＫＯ信号を“Ｈ”状態に出力するようになる。
【００５９】
このように、本発明は、クロックをデータの間にエンベッディングする周期をＲＧＢデータのビット大きさに無関に調節することで、受信部で復元したクロック信号とデータにエンベッディングされたクロック信号の位相を容易に比べることができるし、コントロールデータ伝送段階を２ワード以上に拡張することが可能で、ＲＧＢデータの大きさよりさらに多いコントロールデータを自由に送ることができる。
【００６０】
以上では本発明に対する技術思想を添付図面と共に敍述したが、これは本発明の望ましい実施例を例示的に説明したものであって、本発明を限定するものではない。また、本発明が属する技術分野で通常の知識を有した者なら誰も本発明の技術的思想の範疇を離脱しない範囲内で多様な変形及び模倣が可能であることは明白な事実である。
【符号の説明】
【００６１】
１００  タイミング制御部
３００  ディスプレイパネル
【図１】
2011221487.tif 000003
【図２】
2011221487.tif 000004
【図３】
2011221487.tif 000005
【図４】
2011221487.tif 000006
【図５】
2011221487.tif 000007
【図６】
2011221487.tif 000008
【図７】
2011221487.tif 000009
【図８】
2011221487.tif 000010
【図９】
2011221487.tif 000011
【図１０】
2011221487.tif 000012
【図１１】
2011221487.tif 000013
【図１２】
2011221487.tif 000014
【図１３】
2011221487.tif 000015
【図１４】
2011221487.tif 000016
【図１５】
2011221487.tif 000017
【図１６】
2011221487.tif 000018